(57)【特許請求の範囲】
【請求項１】
モバイル回線交換ネットワークとモバイルＩＭＳ（ＩＰ  Ｍｕｌｔｉｍｅｄｉａ  Ｓｕｂｓｙｓｔｅｍ）ネットワークを相互接続しテレビ電話を実現するゲートウェイ装置であって、
前記モバイル回線交換ネットワークに接続される端末から出力される多重化されたビットストリーム信号を分離して、制御信号、圧縮符号化された音声信号、圧縮符号化された映像信号のうちの少なくとも一つを取り出し、
前記制御信号をＳＩＰ（Ｓｅｓｓｉｏｎ  Ｉｎｉｔｉａｔｉｏｎ  Ｐｒｏｔｏｃｏｌ）信号、ＳＤＰ（Ｓｅｓｓｉｏｎ  Ｄｅｓｃｒｉｐｔｉｏｎ  Ｐｒｏｔｏｃｏｌ）信号のうちの少なくとも一つに変換し、
前記音声信号は必要があれば変換し、
前記映像信号は必要があれば変換し、
前記音声信号及び前記映像信号をパケット化して前記ＩＭＳネットワークに送出する変換部と、
呼制御部と、
を備え、
前記変換部は、
前記モバイル回線交換ネットワークに接続される端末からモバイル回線交換ネットワークを介して多重化されて伝送されたビットストリーム信号を受信し、前記ビットストリームを分離し、制御信号、圧縮符号化された音声信号、圧縮符号化された映像信号を取り出す分離部と、
前記制御信号としてＨ．２４５制御信号を受け取り、前記Ｈ．２４５制御信号をＭＥＧＡＣＯ制御信号に変換し前記呼制御部に出力する制御・解析部と、
を備え、
前記呼制御部は、前記制御・解析部から前記ＭＥＧＡＣＯ制御信号を受信し、ＳＩＰ信号やＳＤＰ信号に変換して出力し、
前記変換部は、前記モバイル回線交換ネットワークに接続される前記端末と、前記モバイルＩＭＳネットワークに接続される端末の間で能力情報が異なる場合は、ビットレート、標本化周波数、画面解像度、フレームレート、圧縮方式の能力情報のうちの少なくとも一つを変換する、ことを特徴とするゲートウェイ装置。
【請求項２】
モバイル回線交換ネットワークとモバイルＩＭＳネットワークを相互接続しテレビ電話を実現するゲートウェイ装置であって、
前記モバイルＩＭＳネットワークに接続される端末から出力される、ＳＩＰ（Ｓｅｓｓｉｏｎ  Ｉｎｉｔｉａｔｉｏｎ  Ｐｒｏｔｏｃｏｌ）信号及び／又はＳＤＰ（Ｓｅｓｓｉｏｎ  Ｄｅｓｃｒｉｐｔｉｏｎ  Ｐｒｏｔｏｃｏｌ）信号を受信し、
パケット化された圧縮符号化音声信号と、パケット化された圧縮符号化映像信号のうちの少なくとも一つを受信し、
前記ＳＩＰ信号又はＳＤＰ信号を制御信号に変換し、
前記音声信号は必要があれば変換し、
前記映像信号は必要があれば変換し、
前記制御信号を前記音声信号と前記映像信号を多重化して前記モバイル回線交換ネットワークに送出する変換部と、
呼制御部と、
を備え、
前記変換部は、
多重化部と、
前記呼制御部からのＭＥＧＡＣＯ制御信号を受信し、Ｈ．２４５制御信号に変換して前記多重化部に出力する制御・解析部と、
を備え、
前記呼制御部は、前記モバイルＩＭＳネットワーク側からのＳＩＰ信号やＳＤＰ信号を受け、ＭＥＧＡＣＯ制御信号に変換して前記制御・解析部に供給し、
前記多重化部は、前記制御・解析部から前記Ｈ．２４５制御信号と、前記音声信号及び／又は前記映像信号を受け、多重化ビットストリームを生成し、前記モバイル回線交換ネットワークに送出し、
前記変換部は、前記モバイルＩＭＳネットワークに接続される前記端末と前記モバイル回線交換ネットワークに接続される端末との間で能力情報が異なる場合は、ビットレート、標本化周波数、画面解像度、フレームレート、圧縮方式の能力情報のうちの少なくとも一つを変換する、ことを特徴とするゲートウェイ装置。
【請求項３】
前記音声信号及び前記映像信号をパケット化するときに、それぞれ、ＩＥＴＦ  ＲＦＣ３２６７、及びＩＥＴＦ  ＲＦＣ３０１６に従う、ことを特徴とする請求項１に記載のゲートウェイ装置。
【請求項４】
前記パケット化された圧縮音声信号、及びパケット化された圧縮映像信号は、それぞれ、ＩＥＴＦ  ＲＦＣ３２６７、及びＩＥＴＦ  ＲＦＣ３０１６に従う、ことを特徴とする請求項２に記載のゲートウェイ装置。
【請求項５】
前記変換部は、
前記制御信号、
前記音声信号について、コーデック、ビットレートと、標本化周波数のうちの少なくとも一つ、
前記映像信号について、画面解像度、ビットレート、コーデック、フレームレートのうちの少なくとも一つ、
圧縮方式、
のうちの少なくとも一つを変換する、ことを特徴とする請求項１又は２に記載のゲートウェイ装置。
【請求項６】
前記変換部は、
圧縮符号化された音声信号ビットストリームをパケットに格納した上で前記モバイルＩＭＳネットワークに出力する第１のパケット化部と、
圧縮符号化された映像信号ビットストリームをパケットに格納した上で前記モバイルＩＭＳネットワークに出力する第２のパケット化部と、
を備えた、ことを特徴とする請求項１に記載のゲートウェイ装置。
【請求項７】
前記変換部は、
音声パケットを受信し圧縮符号化された音声信号ビットストリームを前記多重化部に出力する第３のパケット化部と、
映像パケットを受信し圧縮符号化された映像信号ビットストリームを前記多重化部に出力する第４のパケット化部と、
を備えた、ことを特徴とする請求項２に記載のゲートウェイ装置。
【請求項８】
ゲートウェイ装置によりモバイル回線交換ネットワークとモバイルＩＭＳ（ＩＰ  Ｍｕｌｔｉｍｅｄｉａ  Ｓｕｂｓｙｓｔｅｍ）ネットワークを相互接続しテレビ電話を実現する通信制御方法であって、
前記モバイル回線交換ネットワークに接続される端末から出力される多重化されたビットストリーム信号を分離して、制御信号、圧縮符号化された音声信号、圧縮符号化された映像信号のうちの少なくとも一つを取り出し、
前記制御信号は、ＳＩＰ（Ｓｅｓｓｉｏｎ  Ｉｎｉｔｉａｔｉｏｎ  Ｐｒｏｔｏｃｏｌ）信号、ＳＤＰ（Ｓｅｓｓｉｏｎ  Ｄｅｓｃｒｉｐｔｉｏｎ  Ｐｒｏｔｏｃｏｌ）信号のうちの少なくとも一つに変換し、
前記音声信号は必要があれば変換し、
前記映像信号は必要があれば変換し、
前記モバイル回線交換ネットワークに接続される端末からモバイル回線交換ネットワークを介して多重化されて伝送されたビットストリーム信号を受信し、前記ビットストリームを分離して、制御信号、圧縮符号化された音声信号、圧縮符号化された映像信号を取り出し、
前記制御信号として、Ｈ．２４５制御信号を受け、前記Ｈ．２４５制御信号をＭＥＧＡＣＯ制御信号に変換し、
前記ＭＥＧＡＣＯ制御信号をＳＩＰ信号やＳＤＰ信号に変換して前記ＩＭＳネットワーク側に出力し、
前記音声信号及び前記映像信号をパケット化して前記ＩＭＳネットワークに送出し、
前記モバイル回線交換ネットワークに接続される前記端末と前記モバイルＩＭＳネットワークに接続される端末の間で能力情報が異なる場合は、ビットレート、標本化周波数、画面解像度、フレームレート、圧縮方式の能力情報のうちの少なくとも一つを変換する、ことを特徴とする通信制御方法。
【請求項９】
ゲートウェイ装置によりモバイル回線交換ネットワークとモバイルＩＭＳ（ＩＰ  Ｍｕｌｔｉｍｅｄｉａ  Ｓｕｂｓｙｓｔｅｍ）ネットワークを相互接続しテレビ電話を実現する通信制御方法であって、
前記モバイルＩＭＳネットワークに接続される端末から出力される、ＳＩＰ（Ｓｅｓｓｉｏｎ  Ｉｎｉｔｉａｔｉｏｎ  Ｐｒｏｔｏｃｏｌ）信号及び／又はＳＤＰ（Ｓｅｓｓｉｏｎ  Ｄｅｓｃｒｉｐｔｉｏｎ  Ｐｒｏｔｏｃｏｌ）信号を受信し、
パケット化された圧縮符号化音声信号と、パケット化された圧縮符号化映像信号のうちの少なくとも一つを受信し、
前記ＳＩＰ信号又はＳＤＰ信号を制御信号に変換し、
前記音声信号は必要があれば変換し、
前記映像信号は必要があれば変換し、
前記制御信号を前記音声信号と前記映像信号を多重化して前記モバイル回線交換ネットワークに送出し、
前記モバイルＩＭＳネットワーク側からＳＩＰやＳＤＰ信号を受け、ＭＥＧＡＣＯ制御信号に変換し、
前記ＭＥＧＡＣＯ制御信号を、Ｈ．２４５制御信号に変換して前記多重化部に出力し、
前記多重化部では、前記Ｈ．２４５制御信号と、前記音声信号及び／又は前記映像信号を受け、多重化ビットストリームを生成し、前記モバイル回線交換ネットワークに送出し、
前記モバイルＩＭＳネットワークに接続される前記端末と前記モバイル回線交換ネットワークに接続される端末との間で能力情報が異なる場合は、ビットレート、標本化周波数、画面解像度、フレームレート、圧縮方式の能力情報のうちの少なくとも一つを変換する、ことを特徴とする通信制御方法。
【請求項１０】
前記音声信号、及び前記映像信号をパケット化するときに、それぞれＩＥＴＦ  ＲＦＣ３２６７、及びＩＥＴＦ  ＲＦＣ３０１６に従う、ことを特徴とする請求項８に記載の通信制御方法。
【請求項１１】
前記パケット化された圧縮音声信号、及び前記パケット化された圧縮映像信号は、それぞれＩＥＴＦ  ＲＦＣ３２６７、及びＩＥＴＦ  ＲＦＣ３０１６に従う、ことを特徴とする請求項９に記載の通信制御方法。
【発明の詳細な説明】
【技術分野】
【０００１】
本発明は、ゲートウェイ装置に関し、特に、回線交換用のモバイル端末とＩＭＳ用のモバイル端末とを相互接続可能とするゲートウェイ装置と通信方法とプログラムに関する。
【背景技術】
【０００２】
現在、第３世代のＷ−ＣＤＭＡ（Ｗｉｄｅｂａｎｄ  Ｃｏｄｅ  ＤＩｖｉｓｉｏｎ  Ｍｕｐｔｉｐｌｅ  Ａｃｃｅｓｓ）技術を用いる携帯電話端末及びモバイルネットワークでは、ＴＶ電話は、３ＧＰＰ（３ｒｄ  Ｇｅｎｅｒａｔｉｏｎ  Ｐａｒｔｎｅｒｓｈｉｐ  Ｐｒｏｊｅｃｔ）での３Ｇ−３２４Ｍ仕様（３ＧＰＰ規格ＴＳ２６．１１１，  ＴＳ２６．１１２，  ＴＲ２６．９１１参照）に従い、モバイル回線交換ネットワーク及び回線交換のプロトコルを使用してサービスを実現している。
【０００３】
一方、ＴＶ電話やマルチメディアサービスをＩＰネットワーク上のモバイルＩＭＳ（ＩＰ  Ｍｕｌｔｉｍｅｄｉａ  Ｓｕｂｓｙｓｔｅｍ）（３ＧＰＰ規格ＴＳ２３．２４８参照）ネットワークを用いて実現する動きがあり、将来的にはモバイルＩＭＳネットワーク上にサービスが統合化される方向に進んでいる。
【０００４】
なお、特許文献１には、３ＧＰＰを利用したマルチメディア通信を行う携帯端末網とＩＰネットワークとの接続点のゲートウェイにおいて、ＩＰネットワークからの音声と動画を６４Ｋｂｐｓの速度の一定周期で多重化して伝送する場合に、音声と動作を最適なレートに調整して多重化データを生成する構成が開示されている。
【０００５】
特許文献２には、回線交換網やＩＰ網など異なる網に接続された端末間の画像・音声通信を実現するための構成として、端末間でコーデックが異なる場合でも通信を確立することができるように、制御情報の変換を行う変換装置の構成が開示されている。
【０００６】
特許文献３には、ゲートウェイと、ＩＰ網を介してゲートウェイに接続されるＩＰテレビ電話端末と、交換網を介してゲートウェイに接続される交換網用ＩＰテレビ電話端末と、を備えたテレビ電話システムを備えた構成が開示されている。
【０００７】
特許文献４には、サーバとクライアントにデータ通信制御を行うエージェントを実装し、サーバとクライアントが接続されるネットワーク上のゲートウェイにデータ通信を制御するエージェントを設け、クライアント端末の処理能力等に関する情報を取得し、サーバの端末からクライアントの端末に送信すべきデータを変換して送受信する通信システムが開示されている。
【０００８】
【特許文献１】特開２００６−７４５５５号公報
【特許文献２】特開２００６−１６５９３５号公報
【特許文献３】特開２００８−４２７６７号公報
【特許文献４】特開平１１−５５３２４号公報
【発明の開示】
【発明が解決しようとする課題】
【０００９】
以下に本発明による関連技術の分析を与える。
【００１０】
モバイルＩＭＳネットワーク上にサービスを統合化する場合、現在普及しているモバイル回線交換のネットワークまたは回線交換のプロトコルを使用しているＴＶ電話などのマルチメディアサービスをモバイルＩＭＳネットワークに相互接続していく必要がある。
【００１１】
しかしながら、モバイル回線交換のネットワークまたは回線交換のプロトコルを利用したマルチメディアサービスのモバイルＩＭＳネットワークへの相互接続は、これまで実現されていない。
【００１２】
また、モバイル回線交換ネットワークに接続される端末と、モバイルＩＭＳネットワークまたはモバイルＩＭＳネットワークを介して相手側のモバイル回線交換ネットワークに接続される端末間で能力情報が異なる場合に相互接続ができない。
【００１３】
なお、上記特許文献１乃至４のいずれも、上記課題を解決するための手段を提供するものではない。
【００１４】
したがって、本発明の目的は、モバイル回線交換のネットワークまたはモバイル回線交換プロトコルを使用しているＴＶ電話などのマルチメディアサービスをモバイルＩＭＳネットワークに相互接続し、回線交換用のモバイル端末とＩＭＳ用のモバイル端末とを相互接続可能にし、ＩＭＳとして統合的なサービスを実現可能とするゲートウェイ装置とプログラム及び方法を提供することにある。
【課題を解決するための手段】
【００１５】
本発明によれば、モバイル回線交換ネットワークとモバイルＩＭＳネットワークを相互接続しＴＶ電話を実現するゲートウェイ装置であって、前記回線交換ネットワークに接続される端末から出力される多重化されたビットストリーム信号を分離して制御信号、圧縮符号化された音声信号、圧縮符号化された映像信号の少なくとも一つを取り出し、前記制御信号はＭＥＧＡＣＯ（Ｍｅｄｉａ  Ｇａｔｅｗａｙ  Ｃｏｎｔｒｏｌ）信号、ＳＩＰ（Ｓｅｓｓｉｏｎ  Ｉｎｉｔｉａｔｉｏｎ  Ｐｒｏｔｏｃｏｌ）信号、ＳＤＰ（Ｓｅｓｓｉｏｎ  Ｄｅｓｃｒｉｐｔｉｏｎ  Ｐｒｏｔｏｃｏｌ）信号のうちの少なくとも一つに変換し、前記音声信号は必要があれば変換し、前記映像信号は必要があれば変換し、音声信号及び映像信号をパケット化して前記ＩＭＳネットワークに送出する変換部を備えるゲートウェイ装置が提供される。
【００１６】
また本発明によれば、モバイル回線交換ネットワークとモバイルＩＭＳネットワークを相互接続しＴＶ電話を実現するゲートウェイ装置であって、前記もバイルＩＭＳネットワークに接続される端末から出力されるＳＩＰ信号及び／又はＳＤＰ信号を受信し、パケット化された圧縮符号化音声信号とパケット化された圧縮符号化映像信号の少なくとも一つを受信し、前記ＳＩＰ信号及び／又はＳＤＰ信号を、ＭＥＧＡＣＯ信号、Ｈ．２４５信号のうち少なくとも一つからなる制御信号に変換し、前記音声信号は必要があれば変換し、前記映像信号は必要があれば変換し、前記制御信号を前記音声信号と前記映像信号を多重化して前記回線交換ネットワークに送出する変換部を備えるゲートウェイ装置が提供される。
【００１７】
さらに本発明によれば、モバイル回線交換ネットワークとモバイルＩＭＳネットワークを相互接続しＴＶ電話を実現するゲートウェイ装置であって、制御信号、ビットレート、標本化周波数、画面解像度、フレームレート、圧縮方式などの能力情報のうち少なくとも一つを変換する変換部を備えるゲートウェイ装置が提供される。
【００１８】
さらに、本発明によれば、ゲートウェイ装置によりモバイル回線交換ネットワークとモバイルＩＭＳ（ＩＰ  Ｍｕｌｔｉｍｅｄｉａ  Ｓｕｂｓｙｓｔｅｍ）ネットワークを相互接続しテレビ電話を実現する通信制御方法であって、
前記モバイル回線交換ネットワークに接続される端末から出力される多重化されたビットストリーム信号を分離して、制御信号、圧縮符号化された音声信号、圧縮符号化された映像信号のうちの少なくとも一つを取り出し、
前記制御信号は、ＭＥＧＡＣＯ（Ｍｅｄｉａ  Ｇａｔｅｗａｙ  Ｃｏｎｔｒｏｌ）信号、ＳＩＰ（Ｓｅｓｓｉｏｎ  Ｉｎｉｔｉａｔｉｏｎ  Ｐｒｏｔｏｃｏｌ）信号、ＳＤＰ（Ｓｅｓｓｉｏｎ  Ｄｅｓｃｒｉｐｔｉｏｎ  Ｐｒｏｔｏｃｏｌ）信号のうちの少なくとも一つに変換し、
前記音声信号は必要があれば変換し、
前記映像信号は必要があれば変換し、
音声信号及び映像信号をパケット化して前記ＩＭＳネットワークに送出する通信制御方法が提供される。
【００１９】
本発明によれば、ゲートウェイ装置によりモバイル回線交換ネットワークとモバイルＩＭＳ（ＩＰ  Ｍｕｌｔｉｍｅｄｉａ  Ｓｕｂｓｙｓｔｅｍ）ネットワークを相互接続しテレビ電話を実現する通信制御方法であって、
前記モバイルＩＭＳネットワークに接続される端末から出力される、ＳＩＰ（Ｓｅｓｓｉｏｎ  Ｉｎｉｔｉａｔｉｏｎ  Ｐｒｏｔｏｃｏｌ）信号及び／又はＳＤＰ（Ｓｅｓｓｉｏｎ  Ｄｅｓｃｒｉｐｔｉｏｎ  Ｐｒｏｔｏｃｏｌ）信号を受信し、
パケット化された圧縮符号化音声信号と、パケット化された圧縮符号化映像信号のうちの少なくとも一つを受信し、
前記ＳＩＰ信号又はＳＤＰ信号をＭＥＧＡＣＯ（Ｍｅｄｉａ  Ｇａｔｅｗａｙ  Ｃｏｎｔｒｏｌ）信号またはＨ．２４５信号のうち少なくとも一つからなる制御信号に変換し、
前記音声信号は必要があれば変換し、
前記映像信号は必要があれば変換し、
前記制御信号を前記音声信号と前記映像信号を多重化して前記モバイル回線交換ネットワークに送出する通信制御方法が提供される。
【発明の効果】
【００２０】
本発明によれば、モバイル回線交換のネットワークまたはモバイル回線交換プロトコルを使用しているＴＶ電話などのマルチメディアサービスを、モバイルＩＭＳネットワークに相互接続し、回線交換用のモバイル端末とＩＭＳ用のモバイル端末とを相互接続可能にし、ＩＭＳとして統合的なサービスを実現することができる。
【発明を実施するための最良の形態】
【００２１】
本発明の実施形態について図面を参照して詳細に説明する。本発明の一の態様において、ゲートウェイ装置は、図２を参照すると、呼制御部（１５０）と変換部（１５１）を備え、変換部（１５１）は、モバイル回線交換ネットワークに接続される端末からモバイル回線交換ネットワークを介して多重化されて伝送されたビットストリーム信号を受信し、前記ビットストリームを分離し、制御信号、圧縮符号化された音声信号、圧縮符号化された映像信号を取り出す分離部（１５５）と、制御信号を受けとり、制御情報をＭＥＧＡＣＯによる制御信号に変換し、前記呼制御部に出力する制御・解析部（１５２）と、圧縮符号化された音声信号ビットストリームをパケットに格納した上で出力するパケット化部（１５３）と、圧縮符号化された映像信号ビットストリームをパケットに格納した上で出力するパケット化部（１５４）と、を備えている。呼制御部（１５０）は、制御・解析部（１５２）からＭＥＧＡＣＯ信号を受信し、ＳＩＰ信号やＳＤＰ信号に変換して出力する。
【００２２】
本発明の別の態様に係るゲートウェイ装置において、図４を参照すると、変換部（２５１）は、多重化部（２５５）と、音声パケットを受信し圧縮符号化された音声信号ビットストリームを多重化部（２５５）に出力するパケット化部（２５３）と、映像パケットを受信し圧縮符号化された映像信号ビットストリームを多重化部（２５５）に出力するパケット化部（２５４）と、呼制御部（２５０）からの制御信号を受信し、所定の制御情報に変換し、多重化部（２５５）に出力する制御・解析部（２５２）を備え、多重化部（２５５）は、制御・解析部（２５２）からの制御信号、パケット化部（２５３、２５４）からの圧縮符号化ビットストリームを受け多重化ビットストリームを生成しモバイル回線交換ネットワークに送出する。
【００２３】
本発明の別の態様に係るゲートウェイ装置において、図６を参照すると、変換部（３５１）は、分離・多重部（３５５）と、制御・解析部（３５２）と、音声トランスコーダ（３５７）と、映像トランスコーダ（３５８）と、パケット化部（３５３）と、パケット化部（３５４）と、を備えている。分離・多重部（３５５）は、前記モバイル回線交換ネットワークに接続される端末からモバイル回線交換ネットワークを介して多重化されて伝送されたビットストリーム信号を受信し、前記ビットストリームを分離し、制御信号を取り出して前記制御・解析部（３５２）に入力し、圧縮符号化された音声信号、圧縮符号化された映像信号を取り出して音声トランスコーダ（３５７）、映像トランスコーダ（３５８）にそれぞれ入力し、制御・解析部（３５２）からの制御信号、音声トランスコーダ（３５７）、映像トランスコーダ（３５８）からの圧縮符号化された音声信号、映像信号のビットストリームを受け、多重化ビットストリームを生成し、前記モバイル回線交換ネットワークに送出する。制御・解析部（３５２）は、前記分離・多重部で分離された前記制御信号を受けとり、前記制御情報をＭＥＧＡＣＯによる制御信号に変換して前記呼制御部（３５０）に出力し、呼制御部（３５０）からのＭＥＧＡＣＯによる制御信号を受信しＨ．２４５制御情報に変換し、分離・多重化部（３５５）に出力し、パケット化部（３５４）は、前記音声トランスコーダ（３５７）からの圧縮符号化された音声信号ビットストリームをパケットに格納した上で出力し、前記モバイルＩＭＳネットワークに接続される端末から出力される音声パケットを受信し、圧縮符号化された音声信号ビットストリームを前記音声トランスコーダ（３５７）に出力する。パケット化部（３５３）は、前記映像トランスコーダ（３５８）からの圧縮符号化された映像信号ビットストリームをパケットに格納した上で出力し、前記モバイルＩＭＳネットワークに接続される端末から出力される映像パケットを受信し圧縮符号化された映像信号ビットストリームを前記映像トランスコーダ（３５８）に出力する。呼制御部（３５０）は、制御・解析部（３５２）からＭＥＧＡＣＯ信号を受信し、ＳＩＰ信号やＳＤＰ信号に変換して前記モバイルＩＭＳネットワーク側に出力し、前記モバイルＩＭＳネットワーク側からのＳＩＰ信号やＳＤＰ信号を受けＭＥＧＡＣＯ信号に変換して制御・解析部（３５２）に供給する。
【００２４】
本発明に係る方法によれば、ゲートウェイ装置を用いてモバイル回線交換ネットワークとモバイルＩＭＳ（ＩＰ  Ｍｕｌｔｉｍｅｄｉａ  Ｓｕｂｓｙｓｔｅｍ）ネットワークを相互接続しテレビ電話を実現する通信制御方法は以下のステップを含む。
【００２５】
ステップ１：ゲートウェイ装置は、モバイル回線交換ネットワークに接続される端末から出力される多重化されたビットストリーム信号を分離して、制御信号、圧縮符号化された音声信号、圧縮符号化された映像信号のうちの少なくとも一つを取り出す。
【００２６】
ステップ２：ゲートウェイ装置は、前記制御信号を、ＭＥＧＡＣＯ（Ｍｅｄｉａ  Ｇａｔｅｗａｙ  Ｃｏｎｔｒｏｌ）信号、ＳＩＰ（Ｓｅｓｓｉｏｎ  Ｉｎｉｔｉａｔｉｏｎ  Ｐｒｏｔｏｃｏｌ）信号、ＳＤＰ（Ｓｅｓｓｉｏｎ  Ｄｅｓｃｒｉｐｔｉｏｎ  Ｐｒｏｔｏｃｏｌ）信号のうちの少なくとも一つに変換する。
【００２７】
ステップ３：ゲートウェイ装置は、前記音声信号は必要があれば変換し、前記映像信号は必要があれば変換する。
【００２８】
ステップ４：ゲートウェイ装置は、音声信号及び映像信号をパケット化して前記ＩＭＳネットワークに送出する。
【００２９】
あるいは、別の態様において、
ステップ１：ゲートウェイ装置は、前記モバイルＩＭＳネットワークに接続される端末から出力される、ＳＩＰ（Ｓｅｓｓｉｏｎ  Ｉｎｉｔｉａｔｉｏｎ  Ｐｒｏｔｏｃｏｌ）信号及び／又はＳＤＰ（Ｓｅｓｓｉｏｎ  Ｄｅｓｃｒｉｐｔｉｏｎ  Ｐｒｏｔｏｃｏｌ）信号を受信する。
【００３０】
ステップ２：ゲートウェイ装置は、パケット化された圧縮符号化音声信号と、パケット化された圧縮符号化映像信号のうちの少なくとも一つを受信する。
【００３１】
ステップ３：ゲートウェイ装置は、前記ＳＩＰ信号又はＳＤＰ信号をＭＥＧＡＣＯ（Ｍｅｄｉａ  Ｇａｔｅｗａｙ  Ｃｏｎｔｒｏｌ）信号またはＨ．２４５信号のうち少なくとも一つからなる制御信号に変換する。
【００３２】
ステップ４：ゲートウェイ装置は、前記音声信号は必要があれば変換し、前記映像信号は必要があれば変換する。
【００３３】
ステップ５：ゲートウェイ装置は、前記制御信号を前記音声信号と前記映像信号を多重化して前記モバイル回線交換ネットワークに送出する。
【００３４】
以下に実施例に即して説明する。
【００３５】
＜実施例１＞
図１は、本発明によるゲートウェイ装置のシステム全体を示す図である。図１において、携帯端末１２０は、回線交換モバイルネットワークに接続される既存の端末であり、３ＧＰＰ  ３Ｇ３２４Ｍ規格による仕様に従っている。ここで、３ＧＰＰ  ３Ｇ３２４Ｍ規格は  ＧＰＰ  ＴＳ２６．１１１、ＴＳ２６．１１２、ＴＲ２６．９１１などのスペック（仕様）を参照することができる。
【００３６】
携帯端末１２０はモバイル回線交換ネットワーク１３０に接続され、制御信号、映像信号、音声信号を多重化した６４  ｋｂｐｓの多重化ビットストリームを送受信する。
【００３７】
ゲートウェイ装置１１０は、携帯端末１２０から出力される、３Ｇ３２４Ｍ規格に従い多重化されたビットストリーム信号を受信する。ゲートウェイ装置１１０は、ビットストリームを分離して制御信号、圧縮符号化された音声信号、圧縮符号化された映像信号の少なくとも一つを取り出す。
【００３８】
ゲートウェイ装置１１０は、前記制御信号は、ＭＥＧＡＣＯ信号、ＳＩＰ信号、ＳＤＰ信号のうちの少なくとも一つに変換し、モバイルＩＭＳネットワーク１０２に送出する。
【００３９】
また、ゲートウェイ装置１１０は、圧縮符号化された音声信号や圧縮符号化された映像信号は必要があれば変換し、音声信号及び映像信号を各々パケット化した上で、モバイルＩＭＳネットワーク１０２に送出する。
【００４０】
図２は、図１のゲートウェイ装置１１０の構成の一例を示す図である。図２を参照すると、ゲートウェイ装置１１０は、呼制御部１５０と、変換部１５１を備えている。以下では、まず変換部１５１の説明を行ない、続いて呼制御部１５０について説明する。
【００４１】
変換部１５１は、分離部１５５と、制御・解析部１５２と、パケット化部１５３、１５４を備えている。
【００４２】
分離部１５５は、携帯端末１２０からモバイル回線交換ネットワーク１３０を介して、３ＧＰＰ  ３Ｇ３２４Ｍ規格に従い多重化され送出されたビットストリーム信号を受信する。分離部１５５は、ビットストリームを分離し、Ｈ．２４５制御信号、圧縮符号化された音声信号、圧縮符号化された映像信号を取り出し、Ｈ．２４５制御信号を制御・解析部１５２に出力する。
【００４３】
一例として、Ｈ．２４５制御情報は、音声コーデック情報、映像コーデック情報、各コーデックのビットレート、映像コーデックの復号に必要な復号化情報（Ｄｅｃｏｄｅｒ  Ｃｏｎｆｉｇｒａｔｉｏｎ  Ｉｎｆｏｒｍａｔｉｏｎ：  ＤＣＩ）、映像及び音声チャネルのオープンやクローズ情報などを含んでいる。
【００４４】
制御・解析部１５２は、Ｈ．２４５制御信号を受信し、制御情報を例えばＭＥＧＡＣＯによる制御信号（例えば、Ｒｅｑｕｅｓｔ（要求）、  Ｍｏｄｉｆｙ（修正）、  Ｎｏｔｉｆｙ（通知）など）に変換し、呼制御部１５０に出力する。なお、ＭＥＧＡＣＯの詳細はＩＴＵ−Ｔ  Ｈ．２４８規格を参照することができる。
【００４５】
圧縮符号化された音声信号は、本実施例及び後述の実施例では、一例として、携帯端末１２０においてＡＭＲ音声コーデックにより圧縮符号化されたビットストリームであるとする。なお、ＡＭＲコーデックの詳細は３ＧＰＰ  Ｓ２６．０９０規格などを参照することができる。
【００４６】
また圧縮符号化された映像信号は、本実施例及び後述の実施例では、一例として、携帯端末１２０においてＭＰＥＧ−４映像コーデックにより圧縮符号化されたビットストリームであるとする。ＭＰＥＧ−４の詳細は、３ＧＰＰ  ＴＳ２６．１１１規格やＩＳＯ／ＩＥＣ  １４４９６−２規格などを参照することができる。
【００４７】
パケット化部１５３は、圧縮符号化された音声信号ビットストリームをＩＥＴＦ（Ｉｎｔｅｒｎｅｔ  Ｅｎｇｉｎｅｅｒｉｎｎｇ  Ｔａｓｋ  Ｆｏｕｒｃｅ）  ＲＦＣ３２６７によるＡＭＲ（Ａｄａｐｔｉｖｅ  Ｍｕｌｔｉ  Ｒａｔｅ）ペイロードフォーマット仕様に従い、ＲＴＰ（Ｒｅａｌｔｉｍｅ  Ｔｒａｎｓｐｏｒｔ  Ｐｒｏｔｏｃｏｌ）パケットに格納した上で出力する。ここで、ＡＭＲのフレームタイプ情報はビットレートを表すので、ＲＦＣ３２６７のコーデックモードリクエスト（ＣＭＲ）情報に変換する。
【００４８】
さらに、ＲＦＣ３２６７のオクテットアラインや他の必要なパラメータを予め定められた設定値に設定する。
【００４９】
パケット化部１５４は、圧縮符号化された映像信号ビットストリームをＩＥＴＦ  ＲＦＣ３０１６によるＭＰＥＧ−４ペイロードフォーマット仕様に従いＲＴＰパケットに格納した上で出力する。
【００５０】
呼制御部１５０は、制御・解析部１５２からＭＥＧＡＣＯ信号を受信し、これをＳＩＰやＳＤＰ信号に変換して出力する。なお、ＳＩＰやＳＤＰの詳細はそれぞれ、ＩＥＴＦ  ＲＦＣ３２６１やＲＦＣ２３２７などを参照することが出来る。
【００５１】
本実施例において、音声・映像コーデックは、前記したもの以外に、他の周知なコーデックを使用することができる。また、制御・解析部１５２を変換部１５１の中に配置したが、呼制御部１５０の中に配置することもできる。
【００５２】
さらに、呼制御部１５０と変換部１５１は、それぞれ別の装置に分離して配置させる構成としてもよい。
【００５３】
本実施例によれば、モバイル回線交換のネットワークまたはモバイル回線交換プロトコルを使用しているＴＶ電話などのマルチメディアサービスをモバイルＩＭＳネットワークと相互接続し、回線交換用のモバイル端末とモバイルＩＭＳ用のモバイル端末とを相互接続可能にし、ＩＭＳとして統合的なサービスを実現することができるゲートウェイ装置を提供することができる。
【００５４】
本実施例において、変換部１５１における分離部１５５、制御・解析部１５２、パケット化部１５３、１５４の処理、呼制御部１５０の処理は、コンピュータ上で動作するプログラムにより実現してもよい。
【００５５】
＜実施例２＞
図３は、本発明の第２の実施例の構成を示す図である。図３において、図１と同一要素には、同一の参照番号が付されている。図１と同じ要素は、同一の動作をするので説明は省略する。
【００５６】
図３において、ゲートウェイ装置２１０は、モバイルＩＭＳネットワーク１０２から、ＴＶ電話接続要求としての呼制御信号、音声ＲＴＰパケット、映像ＲＴＰパケットを受信して、３ＧＰＰで規定される３Ｇ３２４Ｍ規格に従い、制御信号と圧縮符号化された音声信号と圧縮符号化された映像信号を多重化して６４  ｋｂｐｓの多重化ビットストリーム信号を生成し、モバイル回線交換ネットワーク１３０を介して携帯端末１２０に送出する。
【００５７】
図４は、図３のゲートウェイ装置２１０の構成の一例を示す図である。図４を参照すると、ゲートウェイ装置２１０は、呼制御部２５０と変換部２５１を備えている。
【００５８】
変換部２５１の説明を行なう。変換部２５１は、多重化部２５５と、制御・解析部２５２と、パケット化部２５３、２５４を備えている。パケット化部はデパケット化（de-packetizing）部ともいう。
【００５９】
パケット化部２５３は、ＩＥＴＦ  ＲＦＣ３２６７によるＡＭＲペイロードフォーマット仕様に従い、ＲＴＰパケット化された音声パケットを受信し、ペイロードフォーマットヘッダから例えばコーデックモードリクエスト（ＣＭＲ）情報やオクテットアラインや他の必要なパラメータを読み出した上で、前記パラメータに従い、ペイロードからＡＭＲビットストリームを読み出し、ＣＭＲ情報からビットレートを特定し、ＡＭＲビットストリームのフレームタイプ情報に変換した上で、多重化部２５５に出力する。
【００６０】
パケット化部２５４は、圧縮符号化された映像信号ビットストリームをＩＥＴＦ  ＲＦＣ３０１６によるＭＰＥＧ−４ペイロードフォーマット仕様に従い、ＲＴＰパケット化されたパケットを受信する。パケット化部２５４は、ペイロードフォーマットヘッダから必要な情報を読み出した上で、ペイロードからＭＰＥＧ−４のビットストリームを読み出し、多重化部２５５に出力する。
【００６１】
制御・解析部２５２は、呼制御部２５０から例えばＭＥＧＡＣＯ信号を受信し、Ｈ．２４５制御情報に変換し、多重化部２５５に出力する。例えば、Ｈ．２４５制御信号としては、音声コーデック情報、映像コーデック情報、各コーデックのビットレート、映像コーデックの復号に必要な復号化情報（Ｄｅｃｏｄｅｒ  Ｃｏｎｆｉｇｒａｔｉｏｎ  Ｉｎｆｏｒｍａｔｉｏｎ：  ＤＣＩ）、映像及び音声チャネルのオープンやクローズ情報などを含んでいる。
【００６２】
多重化部２５５は、制御・解析部２５２からＨ．２４５制御信号を、パケット化部２５３からＡＭＲ圧縮符号化ビットストリームを、パケット化部２５４からＭＰＥＧ−４圧縮符号化ビットストリームを、それぞれ入力し、これらを３Ｇ３２４ＭのＨ．２２３仕様で規定された多重化ビットストリームを生成し送出する。
【００６３】
呼制御部２５０は、モバイルＩＭＳネットワーク側からのＳＩＰやＳＤＰ信号を受けＭＥＧＡＣＯ信号に変換して制御・解析部２５２に供給する。
【００６４】
図４では、パケット化部２５３、２５４の前段のジッタバッファ部は省略されているが、ＲＴＰパケットのネットワークでのジッタなどを吸収させるために、ジッタバッファ部を前段に配置してもよい。また、コーデックについて他の周知のコーデックを用いることができることは、第１の実施例の場合と同様である。また、制御・解析部２５２を変換部２５１の中に配置したが、呼制御部２５０の中に配置するようにしてもよい。
【００６５】
さらに、呼制御部２５０と変換部２５１は、それぞれ、別の装置に分離して配置する構成としてもよい。
【００６６】
本実施例によれば、モバイル回線交換の制御信号をモバイルＩＭＳネットワークのセッション記述情報に変換するので、回線交換用のモバイル端末とモバイルＩＭＳ用のモバイル端末とを相互接続することができる。
【００６７】
本実施例において、変換部２５１における分離部２５５、制御・解析部２５２、パケット化部２５３、２５４の処理、呼制御部２５０の処理は、コンピュータ上で動作するプログラムにより実現してもよい。
【００６８】
＜実施例３＞
図５は、本発明の第３の実施例の構成を示す図である。図５には、携帯端末１２０とモバイルＩＭＳネットワーク１０２間で双方向の接続を行なう構成が示されている。図５において、図１と同一の要素には同一の参照番号が付されている。図５において、図１と同一の要素は同一の動作を行なうので、説明は省略する。
【００６９】
図５において、ゲートウェイ装置３１０は、変換部において、音声、映像について、ビットレート、標本化周波数、画面解像度、圧縮方式のうち少なくとも一つを変換するために、音声トランスコーダと映像トランスコーダの少なくとも一つを備えている。
【００７０】
図６は、図５のゲートウェイ装置３１０の構成の一例を示す図である。図６において、分離・多重化部３５５は、図２の分離部１５５における分離処理と、図４の多重化部２５５における多重化処理を合体させた処理を行なう。以下では、説明に簡略化のために携帯端末１２０からモバイル回線交換ネットワーク１３０、ゲートウェイ装置３１０を通してモバイルＩＭＳネットワーク１０２に接続する方向について説明する。逆方向の接続の説明は省略するが、逆方向の接続が行えることは勿論である。
【００７１】
変換部３５１において、分離・多重部３５５は受信した多重化ビットストリームを分離し、Ｈ．２４５制御信号、圧縮符号化された音声信号、圧縮符号化された映像信号を取り出し、Ｈ．２４５制御信号を制御・解析部３５２に出力する。
【００７２】
ここで、一例としてＨ．２４５制御情報は、音声コーデック情報、映像コーデック情報、各コーデックのビットレート、映像コーデックの復号に必要な復号化情報（Ｄｅｃｏｄｅｒ  Ｃｏｎｆｉｇｒａｔｉｏｎ  Ｉｎｆｏｒｍａｔｉｏｎ：  ＤＣＩ）、映像及び音声チャネルのオープンやクローズ情報などを含んでいるとする。
【００７３】
制御・解析部３５２は、分離・多重化部３５５からＨ．２４５制御信号を受信する。
【００７４】
また、制御・解析部３５２は、呼制御部３５０がモバイルＩＭＳネットワーク側からＳＩＰやＳＤＰなどで受信した制御信号を、例えばＭＥＧＡＣＯ信号として受信する。
【００７５】
そして、制御・解析部３５２は、Ｈ．２４５制御信号に含まれる携帯端末１２０の能力情報と、ＭＥＧＡＣＯによる制御信号に含まれるモバイルＩＭＳネットワークの能力情報とを照合する。
【００７６】
この結果、音声ストリームではコーデック、ビットレートと、標本化周波数が全て一致しているかどうかをチェックする。一つ以上のパラメータが一致しない場合、制御・解析部３５２は、音声トランスコーダ３５７に指示を出し、音声トランスコーダを起動させ変換を行なわせる。
【００７７】
映像ストリームでは、画面解像度、ビットレート、コーデック、フレームレートが全て一致しているかどうかをチェックする。一つ以上のパラメータが一致しない場合、制御・解析部３５２は映像トランスコーダ３５８に指示を出し映像トランスコーダを起動させ変換を行なわせる。
【００７８】
音声トランスコーダ３５７は、制御・解析部３５２から、トランスコーダ起動の指示と、どのパラメータを変換するかの指示を受信し音声トランスコーダを動作させて変換を行なう。
【００７９】
例えば携帯端末１２０の音声コーデックはＡＭＲであるが、モバイルＩＭＳネットワーク側の音声コーデックがＧ．７１１という場合、ＡＭＲとＧ．７１１間のトランスコードを実施し、Ｇ．７１１で圧縮符号化されたビットストリームをパケット化部３５４に出力する。
【００８０】
映像トランスコーダ３５８は、制御・解析部３５２から、トランスコーダ起動の指示と、どのパラメータを変換するかの指示を受信し、トランスコード処理（変換）を行なう。
【００８１】
例えば、携帯端末１２０とモバイルＩＭＳ側の映像コーデックは、どちらもＭＰＥＧ−４であるが、ビットレートが、携帯端末１２０は６４ｋｂｐｓ、ＩＭＳネットワーク側は１２８  ｋｂｐｓと異なる場合、映像トランスコーダ３５８は、映像のトランスコードを行い、モバイルＩＭＳネットワークに送出する場合にビットレートを増大させ、パケット化部３５３に出力する。
【００８２】
なお、モバイルＩＭＳネットワーク側が１２８  ｋｂｐｓよりも低いビットレート（例えば６４  ｋｂｐｓ）でも受け取れる場合は、トランスコードせずに、そのままパケット化部３５３に出力することもできる。
【００８３】
パケット化部３５３とパケット化部３５４は、図２のパケット化部１５３及び１５４と図４のパケット化部２５３、２５４の機能を合体した動作を行い、双方向の動作を行なう。
【００８４】
呼制御部３５０は、図２の呼制御部１５０と図４の呼制御部２５０の動作を合体させた動作を行い、双方向の接続を実施する。
【００８５】
第３の実施例において、音声・映像コーデックは、前記したもの以外に、他の周知なコーデックを使用することができる。
【００８６】
また、制御・解析部３５２を変換部３５１の中に配置したが、呼制御部３５０の中に配置することもできる。
【００８７】
さらに、呼制御部３５０と変換部３５１は、それぞれ別の装置に分離して配置する構成としてもよい。
【００８８】
本発明によれば、前記端末の能力情報のパラメータとして、ビットレート、標本化周波数、画面解像度、フレームレート、圧縮方式のうち少なくとも一つが異なる場合に、ゲートウェイ装置において能力情報のパラメータで異なるパラメータを検出しこれを変換する変換部を備えているので、能力情報が異なる端末間でも相互接続することができる。
【００８９】
本実施例において、変換部３５１における分離・多重化部３５５、制御・解析部３５２、パケット化部３５３、３５４の処理、呼制御部３５０の処理は、コンピュータ上で動作するプログラムにより実現してもよい。
【００９０】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図面の簡単な説明】
【００９１】
【図１】本発明の第１の実施例のシステムの構成を示す図である。
【図２】本発明の第１の実施例のゲートウェイ装置の構成の一例を示す図である。
【図３】本発明の第２の実施例のシステムの構成を示す図である。
【図４】本発明の第２の実施例のゲートウェイ装置の構成の一例を示す図である。
【図５】本発明の第３の実施例を示す図である。
【図６】本発明の第３の実施例のゲートウェイ装置の構成の一例を示す図である。
【符号の説明】
【００９２】
１０２  モバイルＩＭＳネットワーク
１１０、２１０、３１０  ゲートウェイ装置
１２０  携帯端末
１３０  モバイル回線交換ネットワーク
１５０、２５０、３５０  呼制御部
１５１、２５１、３５１  変換部
１５２、２５２、３５２  制御・解析部
１５３、１５４、２５３、２５４、３５３、３５４  パケット化部
１５５  分離部
２５５  多重化部
３５５  分離・多重化部
３５７  音声トランスコーダ
３５８  映像トランスコーダ
【図１】
0005419124.tif 000002
【図２】
0005419124.tif 000003
【図３】
0005419124.tif 000004
【図４】
0005419124.tif 000005
【図５】
0005419124.tif 000006
【図６】
0005419124.tif 000007